(57)【要約】【課題】異なる種類の消耗品を使い分けるような場合であっても、各種の消耗品に対する各種の印字処理条件の調整を容易に行うことができる印字装置を提供する。【解決手段】消耗品２に設けられた無線タグ５０に記憶されている当該消耗品２の仕様データを無線通信手段７を介して取得して記憶部に記憶する。そして、記憶部に記憶されている消耗品２の仕様データを参照して消耗品２に対する印字処理を制御する。これにより、消耗品２の仕様データに応じて消耗品２に対する各種の印字処理条件の調整を自動的に行うことができるので、異なる種類の消耗品２を使い分けるような場合であっても、各種の消耗品２に対する各種の印字処理条件の調整を容易に行うことができる。【選択図】        図１
2004291560.tif 000002
【特許請求の範囲】
【請求項１】
印字処理制御に伴って各種の消耗品を使用する印字装置において、
前記消耗品に設けられた無線タグとの間でデータ通信を実行する無線通信手段と、
前記消耗品の前記無線タグに記憶されている当該消耗品の仕様データを前記無線通信手段を介して取得する仕様データ取得手段と、
この仕様データ取得手段により取得した前記消耗品の仕様データを記憶部に記憶させる記憶手段と、
前記記憶部に記憶されている前記消耗品の仕様データを参照して前記消耗品に対する印字処理を制御する処理制御手段と、
を備えることを特徴とする印字装置。
【請求項２】
前記消耗品は感熱紙であって、前記無線タグに記憶されている当該消耗品の仕様データはサーマルヘッドの抵抗発熱体に対する通電パルス幅であることを特徴とする請求項１記載の印字装置。
【請求項３】
前記消耗品は受容紙ラベル及び転写リボンであって、前記無線タグに記憶されている当該消耗品の仕様データはそれぞれ受容紙ラベル及び転写リボンの種類であることを特徴とする請求項１記載の印字装置。
【請求項４】
印字処理制御を行う印字装置に用いられる消耗品において、
当該消耗品の仕様データを記憶した無線タグを備えることを特徴とする印字装置に用いられる消耗品。
【発明の詳細な説明】
【０００１】
【発明の属する技術分野】
本発明は、印字処理制御に伴って各種の消耗品を使用する印字装置及び印字装置に用いられる消耗品に関する。
【０００２】
【従来の技術】
従来、ＰＯＳ（Ｐｏｉｎｔ  ｏｆ  Ｓａｌｅｓ：販売時点管理）端末やサーマルプリンタ等の印字装置においては、各種の消耗品の仕様データ（物性値等）に応じて消耗品に対する各種印字処理条件を調整するようにしている。
【０００３】
例えば、ＰＯＳ端末やサーマルプリンタ等においては、感熱紙の特性に応じて、サーマルヘッドに通電するエネルギーを変更して調整するようにしている。また、受容紙ラベルと転写リボンの組み合わせに応じて、印字処理条件（濃度調整、印字速度等）を調整するようにしたプリンタもある。
【０００４】
【発明が解決しようとする課題】
しかしながら、上述したように各種の消耗品の仕様データ（物性値等）に応じて消耗品に対する各種の印字処理条件の調整は手間がかかり、非常に煩雑なものとなっている。
【０００５】
本発明は、異なる種類の消耗品を使い分けるような場合であっても、各種の消耗品に対する各種の印字処理条件の調整を容易に行うことができる印字装置及び印字装置に用いられる消耗品を提供することを目的とする。
【０００６】
【課題を解決するための手段】
本発明は、印字処理制御に伴って各種の消耗品を使用する印字装置において、前記消耗品に設けられた無線タグとの間でデータ通信を実行する無線通信手段と、前記消耗品の前記無線タグに記憶されている当該消耗品の仕様データを前記無線通信手段を介して取得する仕様データ取得手段と、この仕様データ取得手段により取得した前記消耗品の仕様データを記憶部に記憶させる記憶手段と、前記記憶部に記憶されている前記消耗品の仕様データを参照して前記消耗品に対する印字処理を制御する処理制御手段と、を備える。
【０００７】
したがって、消耗品に設けられた無線タグに記憶されている当該消耗品の仕様データが無線通信手段を介して取得されて記憶部に記憶される。そして、記憶部に記憶されている消耗品の仕様データを参照して消耗品に対する印字処理が制御される。
【０００８】
【発明の実施の形態】
本発明の第一の実施の形態を図１ないし図７に基づいて説明する。本実施の形態の印字装置は、ＰＯＳ（Ｐｏｉｎｔ  ｏｆ  Ｓａｌｅｓ：販売時点管理）端末等に接続して使用されるサーマルプリンタであるレシートプリンタに適用されている。
【０００９】
ここで、図１はレシートプリンタ１の構造を概略的に示す縦断側面図、図２はレシートプリンタ１の各部の電気的接続を示すブロック図である。図１に示すように、レシートプリンタ１には、ロール状に巻回されたレシート用紙２をロール状態から搬送方向Ａに向けて引き出して搬送するプラテン３、このプラテン３に対向して配設されてロール状態から引き出されたレシート用紙２に対して所定事項を印字する印字ヘッドであり多数の抵抗発熱体（図示せず）を有するサーマルヘッド４、印字後のレシート用紙２を切断するカッタ機構５などが配置されている。
【００１０】
加えて、ロール状に巻回されたレシート用紙２を保持する用紙保持部６の近傍には、レシート用紙２に備えられた無線タグ５０（図３参照）とのデータ通信を実行する無線通信手段である無線タグリーダライタ７が設けられている。
【００１１】
このようなレシートプリンタ１には、図２に示すように、各部を集中的に制御するＣＰＵ（Ｃｅｎｔｒａｌ  Ｐｒｏｃｅｓｓｉｎｇ  Ｕｎｉｔ）１０が備えられており、このＣＰＵ１０からのシステムバス１１には、フラッシュメモリで構成されたＲＯＭ（Ｒｅａｄ  Ｏｎｌｙ  Ｍｅｍｏｒｙ）１２が接続されている。このＲＯＭ１２には、レシートプリンタ１を動作させるための各種のプログラムが記憶されている。すなわち、ＲＯＭ１２はプログラムを記憶する記憶媒体である。加えて、ＣＰＵ１０からのシステムバス１１には、ＲＯＭ１２に記憶されているプログラムを展開する等の各種作業エリアとして機能する記憶部であるＲＡＭ（Ｒａｎｄｏｍ  Ａｃｃｅｓｓ  Ｍｅｍｏｒｙ）１３、サーマルヘッド４、カッタ機構５、無線タグリーダライタ７も接続されている。また、ＣＰＵ１０からのシステムバス１１には、プラテン３を回転させてレシート用紙２を搬送するためのステッピングモータ１４も接続されている。
【００１２】
次に、レシートプリンタ１に使用される消耗品であるレシート用紙２について説明する。ここで、図３はレシート用紙２を示す斜視図である。図３に示すように、ロール状態のレシート用紙２の中心に位置する芯２ａには、無線タグ５０が埋め込まれている。この無線タグ５０は、一般に、無線通信を利用した識別技術の一種であるＲＦＩＤ（Ｒａｄｉｏ  Ｆｒｅｑｕｅｎｃｙ  ＩＤｅｎｔｉｆｉｃａｔｉｏｎ）といわれているものである。この無線タグ５０は、特に図示しないが、シリコンチップと、データを無線で送信できるアンテナとを主体に構成されている。なお、無線タグ５０と無線タグリーダライタ７との間の無線通信方式としては、静電結合方式、電磁結合方式、電磁誘導方式、マイクロ波方式等、いずれの方式であってもよい。
【００１３】
ところで、本実施の形態のレシートプリンタ１においては、二色（例えば、黒色と青色）に発色する加色型の二色発色感熱紙を選択的に使用することができるようになっている。ここで、加色型の二色発色感熱紙について簡単に説明する。加色型の二色発色感熱紙（以下、二色発色感熱紙という。）は、原紙の上に黒色の発色層、さらにその上に例えば青色の発色層を順に積層させた構造とされている。このような二色発色感熱紙を発色させて印字する場合について以下に説明する。ここで、図４は二色発色感熱紙の発色特性を示すグラフであって、縦軸は記録濃度を示し、横軸はサーマルヘッドによって印加される印字エネルギー（ｍｊ／ｄｏｔ）を示す。図中破線Ａは“青色”の発色特性を示しており、図中実線Ｂは“黒色”の発色特性を示している。図４に示すように、“青色”は“黒色”に比べて低い印字エネルギーＥ１（約０．２０（ｍｊ／ｄｏｔ））が印加された場合に発色し、“黒色”はその“青色”が発色する印字エネルギーより大きな印字エネルギーＥ２（約０．４０（ｍｊ／ｄｏｔ））が印加された場合に“青色”に重なって発色する。
【００１４】
すなわち、上述したように、二色発色感熱紙に印字するレシートプリンタ１においては、“青色”で印字する場合には印字エネルギーＥ１（約０．２０（ｍｊ／ｄｏｔ））を印加して発色させ、“黒色”で印字する場合には印字エネルギーＥ２（約０．４０（ｍｊ／ｄｏｔ））を印加して発色させるように通電パルス幅を制御する必要がある。
【００１５】
そこで、本実施の形態においては、レシート用紙２に備えられる無線タグ５０のシリコンチップに、図５に示すように、サーマルヘッド４の抵抗発熱体への二色分（黒色と青色）の通電パルス幅を規定したヘッド通電テーブルＴを仕様データとして記憶するようにしている。このようなヘッド通電テーブルＴに記憶されている通電パルス幅は、サーミスタ（図示せず）により検出されたサーマルヘッド４の温度情報に対応するものであって、ヘッド抵抗値ランク１〜１６の１６段階分のテーブルが用意されている。なお、何れのヘッド抵抗値ランクを使用するかはジャンパ（図示せず）によって予め設定される。例えば、ランク１のサーミスタ値別ヘッド通電テーブルによれば、温度ランク０〜Ｆに示す各ヘッド温度範囲別に設定される黒色の通電パルス幅及び青色の通電パルス幅の各通電幅データは、ヘッド温度に対して反比例するように設定されている。このように設定することにより、サーマルヘッド４の温度変動によって印字濃度にムラが発生しにくくなっている。
【００１６】
次に、レシートプリンタ１のＣＰＵ１０がＲＯＭ１２に記憶されているプログラムに従って実行する処理について説明する。なお、ここでは、従来のレシートプリンタにおいて実行されている処理と同様の処理についての説明は省略し、本実施の形態のレシートプリンタ１が実行する特徴的な処理である印字調整値設定処理について説明する。
【００１７】
図６は印字調整値設定処理の流れを概略的に示すフローチャートである。図６に示すように、用紙保持部６にレシート用紙２がセットされると、無線タグ５０と無線タグリーダライタ７とは通信状態となるので（ステップＳ１のＹ）、レシート用紙２に備えられた無線タグ５０のシリコンチップに記憶されているヘッド通電テーブルＴが無線タグリーダライタ７により読み取られ、ＲＡＭ１３に記憶される（ステップＳ２）。ここに、仕様データ取得手段の機能及び記憶手段の機能が実行される。
【００１８】
すなわち、黒色印字処理においては、サーマルヘッド４のヘッド基板に取り付けられたサーミスタによってヘッド温度を検出し、ＲＡＭ１３に記憶されているヘッド通電テーブルＴを参照してサーミスタによって検出したヘッド温度が含まれている温度ランクに対応した黒色の通電パルス幅を読み込み、その通電パルス幅をヘッドストローブ時間として印字ドットに対応するサーマルヘッド４の抵抗発熱体を駆動する。ここに、処理制御手段の機能が実行される。これにより、レシート用紙２への黒色印字が行われる。
【００１９】
同様に、青色印字処理においては、サーマルヘッド４のヘッド基板に取り付けられたサーミスタによってヘッド温度を検出し、ＲＡＭ１３に記憶されているヘッド通電テーブルＴを参照してサーミスタによって検出したヘッド温度が含まれている温度ランクに対応した青色の通電パルス幅を読み込み、その通電パルス幅をヘッドストローブ時間として印字ドットに対応するサーマルヘッド４の抵抗発熱体を駆動する。ここに、処理制御手段の機能が実行される。これにより、レシート用紙２への青色印字が行われる。
【００２０】
ここに、消耗品であるレシート用紙２に設けられた無線タグ５０に記憶されている当該レシート用紙２の仕様データ（ヘッド通電テーブルＴ）が無線タグリーダライタ７を介して取得されてＲＡＭ１３に記憶される。そして、ＲＡＭ１３に記憶されているレシート用紙２の仕様データ（ヘッド通電テーブルＴ）を参照してレシート用紙２に対する印字処理が制御される。これにより、レシート用紙２の仕様データ（物性値等）に応じてレシート用紙２に対する各種の印字処理条件（通電パルス幅等）の調整を自動的に行うことが可能になるので、異なる種類のレシート用紙（消耗品）を使い分けるような場合であっても、各種のレシート用紙（消耗品）に対する各種の印字処理条件（通電パルス幅等）の調整が容易になる。
【００２１】
なお、ヘッド通電テーブルＴに代えて、図７に示すようなヘッド通電テーブルＴ´をレシート用紙２に備えられる無線タグ５０のシリコンチップに記憶するようにしても良い。図７に示すヘッド通電テーブルＴ´においては、温度ランク０〜Ｆに示す各ヘッド温度範囲別に設定される黒色の通電パルス幅及び青色の通電パルス幅の各通電幅データが印字速度に応じて設定されており、サーマルヘッド４によるレシート用紙２に対する印字エネルギーを印字速度に応じて微調整することができるようにしたものである。
【００２２】
次に、本発明の第二の実施の形態を図８ないし図１３に基づいて説明する。なお、本発明の第一の実施の形態において説明した部分と同一部分については同一符号を用い、説明も省略する。第一の実施の形態においては、印字装置としてサーマルプリンタであるレシートプリンタ１を適用したが、本実施の形態においては、印字装置としてラベルプリンタを適用した点で異なるものである。
【００２３】
ここで、図８はラベルプリンタ２１の構造を概略的に示す縦断側面図、図９はラベルプリンタ２１の各部の電気的接続を示すブロック図である。図８に示すように、ラベルプリンタ２１には、ロール状に巻回されたラベル用紙（受容紙ラベル）２２をロール状態から搬送方向Ａに向けて引き出して搬送するプラテン２３、転写リボン２４、プラテン２３に対向して配設されてロール状態から引き出されたラベル用紙２２に対して転写リボン２４を介して所定事項を印字する印字ヘッドであり多数の抵抗発熱体（図示せず）を有するサーマルヘッド２５などが配置されている。
【００２４】
加えて、ロール状に巻回されたラベル用紙２２を保持する用紙保持部２６の近傍には、ラベル用紙（受容紙ラベル）２２に備えられた無線タグ５１（図１０参照）とのデータ通信を実行する無線通信手段である第１無線タグリーダライタ２７が設けられており、転写リボン２４を保持するリボン保持部２８の近傍には、転写リボン２４に備えられた無線タグ５２（図１１参照）とのデータ通信を実行する無線通信手段である第２無線タグリーダライタ２９が設けられている。
【００２５】
このようなラベルプリンタ２１には、図９に示すように、各部を集中的に制御するＣＰＵ３１が備えられており、このＣＰＵ３１からのシステムバス３２には、フラッシュメモリで構成されたＲＯＭ３３が接続されている。このＲＯＭ３３には、ラベルプリンタ２１を動作させるための各種のプログラムが記憶されている。すなわち、ＲＯＭ３３はプログラムを記憶する記憶媒体である。加えて、ＣＰＵ３１からのシステムバス３２には、ＲＯＭ３３に記憶されているプログラムを展開する等の各種作業エリアとして機能する記憶部であるＲＡＭ３４、サーマルヘッド２５、無線タグリーダライタ２７，２９も接続されている。また、ＣＰＵ３１からのシステムバス３２には、プラテン２３を回転させてラベル用紙（受容紙ラベル）２２を搬送するとともに転写リボン２４を搬送するためのステッピングモータ３５も接続されている。
【００２６】
次に、ラベルプリンタ２１に使用される消耗品であるラベル用紙（受容紙ラベル）２２及び転写リボン２４について説明する。ここで、図１０はラベル用紙（受容紙ラベル）２２を示す斜視図、図１１は転写リボン２４を示す斜視図である。図１０に示すように、ロール状態のラベル用紙（受容紙ラベル）２２の中心に位置する芯２２ａには、無線タグ５１が埋め込まれている。また、図１１に示すように、ロール状態の転写リボン２４の中心に位置する芯２４ａには、無線タグ５２が埋め込まれている。無線タグ５１，５２は、一般に、無線通信を利用した識別技術の一種であるＲＦＩＤといわれているものである。無線タグ５１，５２は、特に図示しないが、シリコンチップと、データを無線で送信できるアンテナとを主体に構成されている。なお、無線タグ５１，５２と無線タグリーダライタ２７，２９との間の無線通信方式としては、静電結合方式、電磁結合方式、電磁誘導方式、マイクロ波方式等、いずれの方式であってもよい。
【００２７】
ところで、本実施の形態のラベルプリンタ２１においては、各種のラベル用紙（受容紙ラベル）２２と転写リボン２４とを組み合わせて使用することができるようになっている。ラベル用紙（受容紙ラベル）２２としては、例えば、ラフ紙、上質紙、コート紙、ＰＥＴ紙が有る。また、転写リボン２４としては、ワックスタイプ、セミレジンタイプ、レジンタイプが有る。そして、ワックスタイプの転写リボン２４は、ラフ紙、上質紙のラベル用紙（受容紙ラベル）２２に用いられ、セミレジンタイプの転写リボン２４は、ラフ紙、上質紙、コート紙、ＰＥＴ紙のラベル用紙（受容紙ラベル）２２に用いられ、レジンタイプの転写リボン２４は、コート紙、ＰＥＴ紙のラベル用紙（受容紙ラベル）２２に用いられる。
【００２８】
すなわち、本実施の形態のラベルプリンタ２１においては、組み合わせて使用するラベル用紙（受容紙ラベル）２２と転写リボン２４との組み合わせに応じてラベル用紙（受容紙ラベル）２２に対する各種の印字処理条件（サーマルヘッド２５の抵抗発熱体への通電パルス幅や印字速度等）の調整を行う必要がある。
【００２９】
そこで、本実施の形態においては、ラベル用紙（受容紙ラベル）２２に備えられる無線タグ５１のシリコンチップに、当該ラベル用紙（受容紙ラベル）２２の仕様データ（種類等）を記憶するとともに、転写リボン２４に備えられる無線タグ５２のシリコンチップに、当該転写リボン２４の仕様データ（種類等）を記憶するようにしている。また、ＲＯＭ３３には、図１２に示すようなサーマルヘッド２５の抵抗発熱体への通電パルス幅を規定したヘッド通電テーブルｔを記憶するようにしている。図１２に示すヘッド通電テーブルｔにおいては、各通電幅データが、ラベル用紙（受容紙ラベル）２２と転写リボン２４との組み合わせ及び印字速度に応じて設定されている。すなわち、このヘッド通電テーブルｔを用いることで、サーマルヘッド２５によるラベル用紙２２に対する印字エネルギーをラベル用紙（受容紙ラベル）２２と転写リボン２４との組み合わせ及び印字速度に応じて調整することができるようにしたものである。
【００３０】
次に、ラベルプリンタ２１のＣＰＵ３１がＲＯＭ３３に記憶されているプログラムに従って実行する処理について説明する。なお、ここでは、従来のラベルプリンタにおいて実行されている処理と同様の処理についての説明は省略し、本実施の形態のラベルプリンタ２１が実行する特徴的な処理である印字調整値設定処理について説明する。
【００３１】
図１３は印字調整値設定処理の流れを概略的に示すフローチャートである。図１３に示すように、用紙保持部２６にラベル用紙２２がセットされると、無線タグ５１と第１無線タグリーダライタ２７とは通信状態となるので（ステップＳ１１のＹ）、ラベル用紙２２に備えられた無線タグ５１のシリコンチップに記憶されているラベル用紙（受容紙ラベル）２２の仕様データ（種類等）が第１無線タグリーダライタ２７により読み取られ、ＲＡＭ３４に記憶される（ステップＳ１２）。ここに、仕様データ取得手段の機能及び記憶手段の機能が実行される。
【００３２】
また、リボン保持部２８に転写リボン２４がセットされると、無線タグ５２と第２無線タグリーダライタ２９とは通信状態となるので（ステップＳ１３のＹ）、転写リボン２４に備えられた無線タグ５２のシリコンチップに記憶されている転写リボン２４の仕様データ（種類等）が第２無線タグリーダライタ２９により読み取られ、ＲＡＭ３４に記憶される（ステップＳ１４）。ここに、仕様データ取得手段の機能及び記憶手段の機能が実行される。
【００３３】
以上のようにして、ラベル用紙（受容紙ラベル）２２の仕様データ（種類等）と転写リボン２４の仕様データ（種類等）との組み合わせが取得されると（ステップＳ１５のＹ）、このラベル用紙（受容紙ラベル）２２の仕様データ（種類等）と転写リボン２４の仕様データ（種類等）との組み合わせに応じてヘッド通電テーブルｔを探索し、ラベル用紙（受容紙ラベル）２２の仕様データ（種類等）と転写リボン２４の仕様データ（種類等）との組み合わせに基づく通電パルス幅を設定する（ステップＳ１６）。なお、本実施の形態においては、印字速度に応じて通電パルス幅を調整することで印字エネルギーを微調整するようにしている。
【００３４】
印字処理においては、設定された通電パルス幅をヘッドストローブ時間として印字ドットに対応するサーマルヘッド２５の抵抗発熱体が駆動され、転写リボン２４を介してラベル用紙（受容紙ラベル）２２への印字が行われる。ここに、処理制御手段の機能が実行される。
【００３５】
ここに、消耗品であるラベル用紙（受容紙ラベル）２２に設けられた無線タグ５１に記憶されている当該ラベル用紙（受容紙ラベル）２２の仕様データ（種類等）が第１無線タグリーダライタ２７を介して取得されてＲＡＭ３４に記憶され、消耗品である転写リボン２４に設けられた無線タグ５２に記憶されている当該転写リボン２４の仕様データ（種類等）が第２無線タグリーダライタ２９を介して取得されてＲＡＭ３４に記憶される。そして、ＲＡＭ３４に記憶されているラベル用紙（受容紙ラベル）２２の仕様データ（種類等）と転写リボン２４の仕様データ（種類等）との組み合わせに基づいてラベル用紙（受容紙ラベル）２２に対する印字処理が制御される。これにより、ラベル用紙（受容紙ラベル）２２の仕様データ（種類等）と転写リボン２４の仕様データ（種類等）との組み合わせに応じてラベル用紙（受容紙ラベル）２２に対する各種の印字処理条件（通電パルス幅等）の調整を自動的に行うことが可能になるので、異なる種類のラベル用紙（受容紙ラベル）２２と転写リボン２４とを使い分けるような場合であっても、各種のラベル用紙（受容紙ラベル）２２と転写リボン２４とに対する各種の印字処理条件（通電パルス幅等）の調整が容易になる。
【００３６】
【発明の効果】
本発明によれば、消耗品の仕様データに応じて消耗品に対する各種の印字処理条件の調整を自動的に行うことが可能になるので、異なる種類の消耗品を使い分けるような場合であっても、各種の消耗品に対する各種の印字処理条件の調整を容易に行うことができる。
【図面の簡単な説明】
【図１】本発明の第一の実施の形態のレシートプリンタの構造を概略的に示す縦断側面図である。
【図２】レシートプリンタの各部の電気的接続を示すブロック図である。
【図３】レシート用紙を示す斜視図である。
【図４】二色発色感熱紙の発色特性を示すグラフである。
【図５】ヘッド通電テーブルを模式的に示す説明図である。
【図６】印字調整値設定処理の流れを概略的に示すフローチャートである。
【図７】ヘッド通電テーブルの変形例を模式的に示す説明図である。
【図８】本発明の第二の実施の形態のラベルプリンタの構造を概略的に示す縦断側面図である。
【図９】ラベルプリンタの各部の電気的接続を示すブロック図である。
【図１０】ラベル用紙（受容紙ラベル）を示す斜視図である。
【図１１】転写リボンを示す斜視図である。
【図１２】ヘッド通電テーブルを模式的に示す説明図である。
【図１３】印字調整値設定処理の流れを概略的に示すフローチャートである。
【符号の説明】
１，２１…印字装置、２…消耗品，感熱紙、４，２５…サーマルヘッド、７，２７，２９…無線通信手段、１３，３４…記憶部、２２…消耗品，受容紙ラベル、２４…消耗品，転写リボン、５０，５１，５２…無線タグ
【図１】
2004291560.tif 000003
【図２】
2004291560.tif 000004
【図３】
2004291560.tif 000005
【図４】
2004291560.tif 000006
【図５】
2004291560.tif 000007
【図６】
2004291560.tif 000008
【図７】
2004291560.tif 000009
【図８】
2004291560.tif 000010
【図９】
2004291560.tif 000011
【図１０】
2004291560.tif 000012
【図１１】
2004291560.tif 000013
【図１２】
2004291560.tif 000014
【図１３】
2004291560.tif 000015